(57)【要約】  番組の放送中に、放送に使用中のチャンネルが干渉を受けているか否かを確認することを課題とする。使用中のチャンネルを構成する搬送波の中から、一部の周波数帯の搬送波を消去し、消去された状態のチャンネルを使用して番組を放送する。そして、放送されている番組を受信して、消去された周波数帯の搬送波の振幅レベルを測定し、測定された振幅レベルが予め設定された閾値未満である場合に、使用中のチャンネルが干渉を受けていないと判定する。また、使用中のチャンネルが干渉を受けていると判定された場合に、放送に使用可能な全てのチャンネルの中から改めて選択された一のチャンネルに切り替えて番組の放送を継続する。
2009110070.tif 000002
【特許請求の範囲】
【請求項１】
複数の周波数の搬送波によって構成される一のチャンネルを使用して、番組を放送する放送装置であって、
使用中のチャンネルを構成する搬送波の中から、一部の周波数帯の搬送波を消去する搬送波消去手段と、
前記搬送波消去手段によって一部の周波数帯の搬送波が消去された状態のチャンネルを使用して番組を放送する放送手段と、
前記放送手段によって放送しているチャンネルの周波数帯の内、前記搬送波消去手段によって消去された周波数帯の搬送波の受信の振幅レベルを測定する振幅レベル測定手段と、
前記振幅レベル測定手段によって測定された振幅レベルが予め設定された閾値未満である場合に、使用中のチャンネルが干渉を受けていないと判定する判定手段と、
を備えたことを特徴とする放送装置。
【請求項２】
前記搬送波消去手段は、使用中のチャンネルを構成する搬送波の中から、搬送波が有する全ての周波数帯の中で、中間付近の周波数帯を有する搬送波を消去し、
前記振幅レベル測定手段は、使用中のチャンネルを構成する搬送波の中から、中間付近の周波数帯を有する搬送波以外を消去するフィルタによって切り出された搬送波の振幅レベルを測定することを特徴とする請求項１に記載の放送装置。
【請求項３】
前記放送手段は、前記判定手段によって使用中のチャンネルが干渉を受けていると判定された場合に、放送に使用可能な全てのチャンネルの中から改めて選択された一のチャンネルに切り替えて番組の放送を継続することを特徴とする請求項１または２に記載の放送装置。
【請求項４】
前記放送手段は、放送に使用可能な全てのチャンネルの中から、チャンネルを構成する搬送波の振幅レベルが最も低いチャンネルを選択することを特徴とする請求項３に記載の放送装置。
【請求項５】
前記放送手段によってチャンネルを切り替えて番組を放送する場合に、受信した番組を再生する再生装置に対して、切り替え後のチャンネルのチャンネル番号を通知するチャンネル番号通知手段をさらに備えたことを特徴とする請求項３に記載の放送装置。
【発明の詳細な説明】
【技術分野】
【０００１】
この発明は、複数の周波数の搬送波によって構成される一のチャンネルを使用して、番組を放送する放送装置に関する。
【背景技術】
【０００２】
従来より、デジタルＯＦＤＭ（直交周波数分割多重変調方式）技術を利用した放送装置には、放送に使用可能な全てのチャンネルの中から選択された一のチャンネルを使用して番組を放送するものがある。【０００３】
チャンネルを選択する方法として、例えば、特許文献１では、チャンネルごとに、チャンネルを構成する複数の周波数のキャリア（搬送波）の振幅レベルを測定し、測定された振幅レベルに基づいて、干渉を受けない一のチャンネルを選択する方法が開示されている。【０００４】
このような放送装置には、干渉を受けないチャンネルを使用して放送を開始したときであっても、例えば、放送装置が放送中に場所を移動した場合など、放送中に干渉を受け始めることがある。【０００５】
放送中に受け始めた干渉を検知するため、従来の放送装置では、放送を一時的に停止した後、放送に使用していたチャンネルを構成する各キャリアの振幅レベルを測定し、測定された振幅レベルに基づいて、放送に使用していたチャンネルが干渉を受けているか否かを判定するという方法が検討されていた。【０００６】
しかしながら、この判定方法には、番組の放送を一時的に停止した結果、受信した番組を再生する再生装置（例えば、放送中の番組を再生可能な携帯電話）による番組の受信も中断するので、番組の再生に中断を生じさせてしまう危険性があった。【０００７】
なお、再生装置にバッファを備え、番組の再生を一時的に保留させることで、キャリアの受信の一時的な中断があっても番組を連続再生させる技術もあるが、再生を保留できる時間の長さは、キャリアの振幅レベルを測定するために要する時間よりも短いため、現実的な対策にはならなかった。【０００８】
【特許文献１】特開平８−２３７７３２号公報
【発明の開示】
【発明が解決しようとする課題】
【０００９】
ところで、上記した従来の放送装置には、そもそも、番組の放送中に、放送に使用中のチャンネルが干渉を受けているか否かを確認できないという課題があった。すなわち、従来の放送装置は、放送に使用中のチャンネルを構成する各キャリアの振幅レベルの測定を番組放送中に試みると、自装置が放送したキャリアの振幅レベルが測定結果に反映されてしまうので、自装置が放送したキャリアが測定結果に反映されることを抑制するために、番組の放送を一時的に停止せざるを得ない。したがって、従来の放送装置は、番組の放送中に、放送に使用中のチャンネルが干渉を受けているか否かを確認できないという課題があった。【００１０】
そこで、この放送装置は、上述した従来技術の課題を解決するためになされたものであり、番組の放送中に、放送に使用中のチャンネルが干渉を受けているか否かを確認することが可能な放送装置を提供することを目的とする。
【課題を解決するための手段】
【００１１】
上述した課題を解決し、目的を達成するため、開示の放送装置は、複数の周波数の搬送波によって構成される一のチャンネルを使用して、番組を放送する放送装置であって、使用中のチャンネルを構成する搬送波の中から、一部の周波数帯の搬送波を消去する搬送波消去手段と、前記搬送波消去手段によって一部の周波数帯の搬送波が消去された状態のチャンネルを使用して番組を放送する放送手段と、前記放送手段によって放送されている番組を受信して、前記搬送波消去手段によって消去された周波数帯の搬送波の振幅レベルを測定する振幅レベル測定手段と、前記振幅レベル測定手段によって測定された振幅レベルが予め設定された閾値未満である場合に、使用中のチャンネルが干渉を受けていないと判定する判定手段とを備えることを要する。【００１２】
また、上記の放送装置において、前記搬送波消去手段は、使用中のチャンネルを構成する搬送波の中から、搬送波が有する全ての周波数帯の中で、中間付近の周波数帯を有する搬送波を消去し、前記振幅レベル測定手段は、使用中のチャンネルを構成する搬送波の中から、中間付近の周波数帯を有する搬送波以外を消去するフィルタによって切り出された搬送波の振幅レベルを測定することを要する。【００１３】
また、上記の放送装置において、前記放送手段は、前記判定手段によって使用中のチャンネルが干渉を受けていると判定された場合に、放送に使用可能な全てのチャンネルの中から改めて選択された一のチャンネルに切り替えて番組の放送を継続することを要する。【００１４】
また、上記の放送装置において、前記放送手段は、放送に使用可能な全てのチャンネルの中から、チャンネルを構成する搬送波の振幅レベルが最も低いチャンネルを選択することを要する。【００１５】
また、上記の放送装置において、前記放送手段によってチャンネルを切り替えて番組を放送する場合に、受信した番組を再生する再生装置に対して、切り替え後のチャンネルのチャンネル番号を通知するチャンネル番号通知手段をさらに備えることを要する。
【発明の効果】
【００１６】
開示の放送装置によれば、番組の放送中に、放送に使用中のチャンネルが干渉を受けているか否かを確認することが可能である。
【図面の簡単な説明】
【００１７】
【図１】図１は、実施例１に係る放送装置の概要および特徴を説明するための図である。
【図２】図２は、放送装置の構成を示すブロック図である。
【図３】図３は、送信部の構成を示すブロック図である。
【図４】図４は、ＯＦＤＭ回路の構成を示すブロック図である。
【図５】図５は、キャリア消去部による処理を説明するための図である。
【図６】図６は、受信部の構成を示すブロック図である。
【図７】図７は、受信情報記憶部に記憶される情報の一例を示した図である。
【図８】図８は、放送装置による処理の流れを示すフローチャート図である。
【図９】図９は、実施例２に係る送信部の構成を示すブロック図である。
【図１０】図１０は、実施例２に係る放送装置による処理の流れを示すフローチャート図である。
【符号の説明】
【００１８】
１０  放送装置
２１、２２、２３  送信部
２１ａ  ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）回路
２１ａ１  データ受信部
２１ａ２  ＩＦＦＴ（Ｉｎｖｅｒｓｅ  Ｆａｓｔ  Ｆｏｕｒｉｅｒ  Ｔｒａｎｓｆｏｒｍ）回路
２１ａ３  キャリア消去部
２１ａ４  データ出力部
２１ｂ  ＲＦ（Ｒａｄｉｏ  Ｆｒｅｑｕｅｎｃｙ）ＩＦ（Ｉｎｔｅｒｍｅｄｉａｔｅ  Ｆｒｅｑｕｅｎｃｙ）回路
２１ｃ  ＲＯＭ（Ｒｅａｄ  Ｏｎｌｙ  Ｍｅｍｏｒｙ）（ＲＡＭ：Ｒａｎｄｏｍ  Ａｃｃｅｓｓ  Ｍｅｍｏｒｙ）
２１ｄ  ＣＰＵ（Ｃｅｎｔｒａｌ  Ｐｒｏｃｅｓｓｉｎｇ  Ｕｎｉｔ）
２１ｅ  チャンネル番号通知部
３０  受信部
３１  ＲＦＩＦ回路
３２  フィルタ
３３  振幅レベル測定回路
３４  受信制御部
４０  記憶部
４１  受信情報記憶部
５０  制御部
５１  受信情報生成部
５２  チャンネル制御部
【発明を実施するための最良の形態】
【００１９】
以下に添付図面を参照して、この発明に係る放送装置の実施例を詳細に説明する。
【実施例１】
【００２０】
以下の実施例１では、実施例１に係る放送装置の概要および特徴、放送装置の構成、放送装置の処理の流れを順に説明し、最後に実施例１の効果を説明する。【００２１】
［実施例１に係る放送装置の概要および特徴］
まず、図１を用いて実施例１に係る放送装置の概要および特徴を説明する。図１は、実施例１に係る放送装置の概要および特徴を説明するための図である。【００２２】
実施例１に係る放送装置は、複数の周波数のキャリア（搬送波）によって構成される一のチャンネルを使用して、番組を放送することを概要とし、番組の放送中に、放送に使用中のチャンネルが干渉を受けているか否かを確認することを主たる特徴とする。【００２３】
すなわち、放送装置αは、図１の（Ａ）および（Ｃ）に示すように、番組の放送中に、使用中のチャンネルを構成するキャリアの中から、一部の周波数帯のキャリアが消去された状態のチャンネルを使用して番組を放送する。【００２４】
そして、放送装置αは、放送されている番組を受信して、消去された周波数帯のキャリアの振幅レベルを測定する。【００２５】
ここで、放送装置αは、測定された振幅レベルが予め設定された閾値未満である場合に、使用中のチャンネルが干渉を受けていないと判定する。【００２６】
例えば、放送装置αは、図１の（Ａ）に示すように、近接した位置にある他の放送装置が同一の周波数帯のキャリアを有するチャンネルを使用して番組を放送していない場合には、自装置が放送した番組をそのまま受信する。そのため、放送装置αは、図１の（Ｂ）に示すように、測定した周波数帯のキャリア（消去されたキャリア）の振幅レベルが予め設定された閾値未満であるという測定結果を得るので、使用中のチャンネルが干渉を受けていないと判定する。【００２７】
一方で、放送装置αは、図１の（Ｃ）に示すように、近接した位置にある放送装置αおよび放送装置βが同一の周波数帯のキャリアを有するチャンネルを使用してそれぞれ個別の番組を放送している場合には、放送装置αは、自装置が放送した番組と、放送装置βによって放送された番組とを同時に受信する結果、放送装置βによって放送されたキャリアが、自装置が放送したキャリアに混合された状態となっている。そのため、放送装置αは、図１の（Ｄ）に示すように、測定した周波数帯のキャリアの振幅レベルが予め設定された閾値以上であるという測定結果を得るので、使用中のチャンネルが干渉を受けていると判定する。【００２８】
このようなことから、実施例１に係る放送装置は、上記した主たる特徴のごとく、番組の放送中に、放送に使用中のチャンネルが干渉を受けているか否かを確認することが可能である。【００２９】
［放送装置の構成］
次に、図２〜図７を用いて、図１に示した放送装置１０の構成を説明する。図２は、放送装置の構成を示すブロック図である。図３は、送信部の構成を示すブロック図である。図４は、ＯＦＤＭ回路の構成を示すブロック図である。図５は、キャリア消去部による処理を説明するための図である。図６は、受信部の構成を示すブロック図である。図７は、受信情報記憶部に記憶される情報の一例を示した図である。図２に示すように、この放送装置１０は、送信部２１、２２、２３と、受信部３０と、記憶部４０と、制御部５０とを備える。【００３０】
このうち、送信部２１、２２、２３は、サーバ（図示しない）などに格納された番組の放送処理を実行する。なお、送信部２１、２２、２３は、同一の構成からなり、例えば、送信部２１がチャンネル番号「Ｃｈ１」で番組を放送し、送信部２２がチャンネル番号「Ｃｈ２」で番組を放送し、送信部２３がチャンネル番号「Ｃｈ３」で番組を放送するというように、送信部２１、２２、２３それぞれに割り与えられたチャンネルで番組を放送する他は、同一の処理を実行するものとし、以下では、送信部２１について説明する。【００３１】
送信部２１は、図３に示すように、ＯＦＤＭ回路２１ａと、ＲＦＩＦ回路２１ｂと、ＲＯＭ（もしくは、ＲＡＭ）２１ｃと、ＣＰＵ２１ｄとを備える。なお、送信部２１は、請求の範囲に記載の「搬送波消去手段」および「放送手段」に対応する。【００３２】
ＯＦＤＭ回路２１ａは、番組を複数の周波数のキャリアに変換する。具体的には、ＯＦＤＭ回路２１ａは、図４に示すように、データ受信部２１ａ１と、ＩＦＦＴ回路２１ａ２と、キャリア消去部２１ａ３と、データ出力部２１ａ４とを備える。【００３３】
データ受信部２１ａ１は、制御部５０を介して番組のデータを受け付け、番組のデータに対して多重化（インターリーブ）や畳み込み、マッピングを行った後、ＩＦＦＴ回路２１ａ２に入力する。【００３４】
ＩＦＦＴ回路２１ａ２は、データ受信部２１ａ１から受け付けた番組のデータを逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）して、複数の周波数のキャリアによって構成される一のチャンネルを生成し、キャリア消去部２１ａ３に入力する。【００３５】
キャリア消去部２１ａ３は、使用中のチャンネルを構成するキャリアの中から、一部の周波数帯のキャリアを消去する。具体的に一例をあげて説明すると、キャリア消去部２１ａ３は、制御部５０による制御を受けて、一部の周波数帯のキャリアを消去する場合には、ＩＦＦＴ回路２１ａ２から受け付けたチャンネルを構成する４３２本のキャリアの中から（図５の（Ａ）参照）、キャリアが有する全ての周波数帯の中で、中間付近の周波数帯を有する１０本のキャリアを消去し（図５の（Ｂ）参照）、データ出力部２１ａ４に入力する。【００３６】
一方では、キャリア消去部２１ａ３は、制御部５０による制御を受けていない場合には、ＩＦＦＴ回路２１ａ２から受け付けたチャンネルを構成する４３２本のキャリア（図５の（Ａ）参照）を、そのままデータ出力部２１ａ４に入力する。【００３７】
データ出力部２１ａ４は、キャリア消去部２１ａ３から受け付けたチャンネルをＲＦＩＦ回路２１ｂに対して出力する。【００３８】
ＲＦＩＦ回路２１ｂは、ＯＦＤＭ回路２１ａから入力されたチャンネルを周波数変換して放送する。【００３９】
図３の説明に戻ると、ＲＯＭ２１ｃは、ＣＰＵ２１ｄによる各種処理に必要なデータおよびプログラムを格納する。また、ＣＰＵ２１ｄは、制御プログラム、各種の処理手順などを規定したプログラムおよび所要データを格納するための内部メモリを有し、送信部２１による処理を制御する。例えば、ＣＰＵ２１ｄは、キャリアを消去する処理を実行するか否かを切り替えるようキャリア消去部２１ａ３を制御する。【００４０】
図２の説明に戻ると、受信部３０は、番組の受信処理を実行する。具体的には、受信部３０は、図６に示すように、ＲＦＩＦ回路３１と、フィルタ３２と、振幅レベル測定回路３３と、受信制御部３４とを備える。【００４１】
ＲＦＩＦ回路３１は、受信したチャンネルを周波数変換してフィルタ３２に入力する。また、フィルタ３２は、所定の周波数帯以外のキャリアを消去するフィルタを備え、ＲＦＩＦ回路３１から受け付けたチャンネルから、振幅レベルを測定するキャリアを切り出して、振幅レベル測定回路３３に入力する。【００４２】
具体的には、フィルタ３２は、後述の受信情報生成部５１による制御を受けて、受信情報を生成する（言い換えれば、放送に使用可能な全てのチャンネルそれぞれについて、チャンネルを構成するキャリアの振幅レベルを測定する）ときには、ＲＦＩＦ回路３１から受け付けたチャンネルから、放送に使用可能なチャンネルごとに、チャンネルを構成する複数の周波数のキャリアを切り出す処理を実行する。【００４３】
また、フィルタ３２は、後述のチャンネル制御部５２による制御を受けて、使用中のチャンネルが干渉を受けているか否かを判定する（言い換えれば、キャリア消去部２１ａ３によって消去された周波数帯のキャリアの振幅レベルを測定する）ときには、ＲＦＩＦ回路３１から受け付けたチャンネルから、キャリア消去部２１ａ３によって消去されている周波数帯のキャリアを切り出す処理を実行する。なお、フィルタ３２は、請求の範囲に記載の「振幅レベル測定手段」に対応する。【００４４】
振幅レベル測定回路３３は、ＲＦＩＦ回路３１から入力されたキャリアの振幅レベルを測定する。なお、振幅レベル測定回路３３は、請求の範囲に記載の「振幅レベル測定手段」に対応する。【００４５】
受信制御部３４は、制御プログラム、各種の処理手順などを規定したプログラムおよび所要データを格納するための内部メモリを有し、これらによって受信部３０による種々の処理を制御する。例えば、受信制御部３４は、切り出すキャリアの周波数帯を切り替えるようフィルタ３２を制御する。【００４６】
図２の説明に戻ると、記憶部４０は、制御部５０による各種処理に必要なデータおよびプログラムを格納する。特に本発明に密接に関連するものとしては、記憶部４０は、受信情報記憶部４１を備える。【００４７】
受信情報記憶部４１は、図７に示すように、チャンネル番号に対応付けて、チャンネル情報と、振幅レベルとを記憶する。ここで、「チャンネル情報」とは、干渉を受けないチャンネルであるか否かを示した情報であり、例えば、「○」は、干渉を受けないチャンネルであることを意味し、「×」は、干渉を受けるチャンネルであることを意味する。また、「（ｄＢ）」とは、振幅レベルの大きさを表す単位（デシベル）である。【００４８】
制御部５０は、制御プログラム、各種の処理手順などを規定したプログラムおよび所要データを格納するための内部メモリを有し、これらによって放送装置１０による種々の処理を制御する。特に本発明に密接に関連するものとしては、制御部５０は、受信情報生成部５１と、チャンネル制御部５２とを備える。【００４９】
受信情報生成部５１は、放送に使用可能な全てのチャンネルの中から一のチャンネルを選択するための受信情報を生成する。具体的には、受信情報生成部５１は、ユーザから放送開始指示を受け付ける、もしくは、チャンネル制御部５２から受信情報の更新の依頼を受け付けると、放送に使用可能な全てのチャンネルそれぞれについて、チャンネルを構成するキャリアの振幅レベルを測定するよう受信部３０を制御する。【００５０】
続いて、受信情報生成部５１は、受信部３０から各チャンネルを構成するキャリアの振幅レベルの測定結果を読み込み、各チャンネルそれぞれについて、予め設定された閾値に基づいて、干渉を受けないチャンネルであるか否かを判定する。より詳細には、受信情報生成部５１は、測定された振幅レベルが閾値未満であるチャンネルについて、干渉を受けないチャンネルであると判定し、測定された振幅レベルが閾値以上であるチャンネルについて、干渉を受けるチャンネルであると判定する。【００５１】
そして、受信情報生成部５１は、放送に使用可能な全てのチャンネルそれぞれについて、チャンネル番号に対応付けて、チャンネル情報と、振幅レベルとが記憶された受信情報を生成し、受信情報記憶部４１に格納する。【００５２】
なお、受信情報生成部５１は、チャンネル制御部５２から受信情報の更新の依頼を受け付け、改めて受信情報を生成する場合には、番組を放送中のチャンネルのチャンネル情報に、干渉を受けるチャンネルであることを意味する「×」を格納するものとする。【００５３】
チャンネル制御部５２は、測定された振幅レベルが予め設定された閾値未満である場合に、使用中のチャンネルが干渉を受けていないと判定する。なお、チャンネル制御部５２は、請求の範囲に記載の「放送手段」および「判定手段」に対応する。【００５４】
具体的には、チャンネル制御部５２は、受信情報生成部５１によって生成された受信情報（図７参照）に基づいて、放送に使用可能な全てのチャンネルのチャンネル番号（例えば、Ｃｈ１〜Ｃｈ５・・・）の中から、チャンネルを構成するキャリアの振幅レベルが最も低いチャンネル番号（例えば、Ｃｈ２）を選択する。【００５５】
続いて、チャンネル制御部５２は、選択したチャンネル番号に対応する送信部（例えば、Ｃｈ２に対応する送信部２２）が番組の放送を開始するよう制御する。【００５６】
ここで、チャンネル制御部５２は、一定時間が経過するごとに、一部の周波数帯のキャリアを消去するよう番組を放送中の送信部を制御し、消去された周波数帯のキャリアの振幅レベルを測定するよう受信部３０を制御する。【００５７】
続いて、チャンネル制御部５２は、受信部３０からキャリア消去部２１ａ３によって消去された周波数帯のキャリアの振幅レベルの測定結果を読み込み、測定された振幅レベルが予め設定された閾値未満であるか否かを判定することで、使用中のチャンネルが干渉を受けているか否かを判定する。【００５８】
ここで、チャンネル制御部５２は、使用中のチャンネルが干渉を受けていないと判定した場合には、使用中のチャンネルで番組の放送を継続するよう番組を放送中の送信部を制御する。【００５９】
一方では、チャンネル制御部５２は、使用中のチャンネルが干渉を受けていると判定した場合には、受信情報生成部５１に対して、受信情報の更新を依頼する。【００６０】
そして、チャンネル制御部５２は、受信情報生成部５１によって更新された受信情報に基づいて、干渉を受けないチャンネルのチャンネル番号の中から一のチャンネル番号を改めて選択し、番組の放送を停止するよう番組を放送中の送信部を制御するとともに、改めて選択したチャンネル番号に対応する送信部が番組の放送を継続するよう制御する。つまり、使用中のチャンネルが干渉を受けていると判定した場合には、干渉を受けないチャンネルに番組を放送するチャンネルを変更するという趣旨である。【００６１】
［放送装置による処理］
次に、図８を用いて、放送装置１０による処理を説明する。図８は、放送装置による処理の流れを示すフローチャート図である。なお、放送装置１０による処理は、放送装置１０の駆動の停止とともに処理を終了する。【００６２】
図８に示すように、放送装置１０は、ユーザから放送開始指示を受け付けると（ステップＳ１００１肯定）、放送に使用可能な全てのチャンネルそれぞれについて、チャンネル番号に対応付けて、チャンネル情報と、振幅レベルとが記憶された受信情報を生成し（ステップＳ１００２）、干渉を受けないチャンネルの中から選択された一のチャンネルを使用して番組の放送を開始する（ステップＳ１００３）。【００６３】
その後、放送装置１０は、一定時間が経過すると（ステップＳ１００４肯定）、使用中のチャンネルを構成するキャリアの中から一部の周波数帯のキャリアを消去し（ステップＳ１００５）、消去された周波数帯のキャリアの振幅レベルを測定し（ステップＳ１００６）、使用中のチャンネルが干渉を受けているか否かを判定する（ステップＳ１００７）。【００６４】
ここで、放送装置１０は、使用中のチャンネルが干渉を受けていないと判定した場合には（ステップＳ１００７肯定）、再び一定時間が経過するまで使用中のチャンネルで番組の放送を継続する（ステップＳ１００４）。【００６５】
一方では、使用中のチャンネルが干渉を受けていると判定した場合には（ステップＳ１００７否定）、放送装置１０は、受信情報を更新し（ステップＳ１００８）、新たに選択された一のチャンネルに番組を放送するチャンネルを変更し（ステップＳ１００９）、再び一定時間が経過するまで番組の放送を継続する（ステップＳ１００４）。【００６６】
［実施例１の効果］
上記したように、実施例１によれば、番組の放送中に、放送に使用中のチャンネルが干渉を受けているか否かを確認することが可能である。つまり、実施例１に係る放送装置１０は、放送に使用中のチャンネルを構成するキャリアの中から消去された周波数帯のキャリアの振幅レベルを測定するので、自装置が放送したキャリアの振幅レベルが測定結果に反映されず、番組の放送中に、放送に使用中のチャンネルが干渉を受けているか否かを確認することが可能である。【００６７】
また、実施例１によれば、使用中のチャンネルを構成するキャリアの中から、周波数帯が中心付近に位置するキャリアを消去するので、放送に使用中のチャンネルが干渉を受けているか否かを明確に判定することが可能である。【００６８】
また、実施例１によれば、使用中のチャンネルが干渉を受けていると判定した場合であっても、番組の放送を継続することが可能である。
【実施例２】
【００６９】
ところで、実施例１において、放送装置１０が番組を放送するチャンネルを変更した場合に、放送中の番組を再生していた再生装置が番組の再生を継続するためには、再生装置が切り替え後のチャンネルのチャンネル番号を取得する必要がある。【００７０】
そこで、実施例２では、放送装置１０が切り替え後のチャンネル番号を通知する場合を説明する。なお、実施例２では、実施例２に係る放送装置の構成および放送装置による処理の流れを説明した後、実施例２による効果を説明する。【００７１】
［実施例２に係る放送装置の構成］
まず、図９を用いて実施例２に係る放送装置１０の構成を説明する。図９は、実施例２に係る送信部の構成を示すブロック図である。実施例２に係る放送装置１０の構成は、チャンネル番号通知部２１ｅを新たに備える他は、実施例１に係る放送装置１０と以下に説明する点が異なる。【００７２】
すなわち、チャンネル制御部５２は、改めて選択したチャンネル番号に対応する送信部が番組の放送を継続するよう制御した場合に、この送信部が備えたチャンネル番号通知部２１ｅに対して、チャンネル番号を放送するよう制御する。【００７３】
チャンネル番号通知部２１ｅは、受信した番組を再生する再生装置に対して、切り替え後のチャンネル番号を通知する。具体的には、チャンネル番号通知部２１ｅは、番組の放送を継続する制御をチャンネル制御部５２から受けた場合に、送信部２１に割り与えられたチャンネルのチャンネル番号をＲＦＩＦ回路２１ｂを介して放送して、再生装置に対して切り替え後のチャンネル番号を通知する。ここで、チャンネル番号を通知する方法は、本発明を限定するものではなく、番組にチャンネル番号を重畳して放送するようにしてもよいし、メールなどの別のアプリケーションを使用して通知するようにしてもよい。【００７４】
［実施例２に係る放送装置による処理］
次に、図１０を用いて、実施例２に係る放送装置による処理を説明する。図１０は、実施例２に係る放送装置による処理の流れを示すフローチャート図である。なお、以下では、実施例１に係る放送装置による処理と異なる点について詳細に説明する。【００７５】
図１０に示すように、放送装置１０は、使用中のチャンネルが干渉を受けていると判定した場合に（ステップＳ２００７否定）、受信情報を更新し（ステップＳ２００８）、改めて選択された一のチャンネルに番組を放送するチャンネルを変更する（ステップＳ２００９）。【００７６】
そして、放送装置１０は、再生装置に対して切り替え後のチャンネル番号を通知し、（ステップＳ２０１０）、再び一定時間が経過するまで放送を継続する（ステップＳ２００４）。【００７７】
［実施例２の効果］
上記したように、実施例２によれば、放送中の番組を再生していた再生装置に放送中の番組を連続再生させることが可能である。
【実施例３】
【００７８】
さて、これまで実施例１〜２について説明したが、本発明は上述した実施例以外にも、種々の異なる形態にて実施されてよいものである。そこで、以下では、実施例３として、他の実施例を説明する。【００７９】
例えば、実施例２では、改めて選択したチャンネル番号に対応する送信部のチャンネル番号通知部２１ｅがチャンネル番号を放送する場合を説明したが、本発明はこれに限定されるものではなく、例えば、チャンネル番号専用の送信部を備えるようにしてもよいし、番組を放送中の送信部が改めて選択したチャンネル番号を放送するようにしてもよい。【００８０】
また、上記文書中や図面中で示した処理手順、制御手順、具体的名称、各種のデータやパラメータを含む情報（例えば、図７に示したチャンネル情報やキャリア消去部２１ａ３によって消去するキャリアの数）については、特記する場合を除いて任意に変更することができる。【００８１】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図６に示した受信制御部３４を、図２に示した制御部５０に統合して構成することができる。【００８２】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。【００８３】
なお、本実施例で説明した放送装置１０による処理は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【図１】
2009110070.tif 000003
【図２】
2009110070.tif 000004
【図３】
2009110070.tif 000005
【図４】
2009110070.tif 000006
【図５】
2009110070.tif 000007
【図６】
2009110070.tif 000008
【図７】
2009110070.tif 000009
【図８】
2009110070.tif 000010
【図９】
2009110070.tif 000011
【図１０】
2009110070.tif 000012
【国際調査報告】
2009110070.tif 000013
2009110070.tif 000014